(57)【要約】【課題】コンクリート函体を痛めることなく、また、発進立坑を設けることなくコンクリート函体の発進が可能となるので、発進立坑背面に反力がとれない場合でも、大規模な補助対策を必要とせず、その他の部分から推進反力を確保することができるコンクリート函体およびシールド機の発進反力構造および方法を提供する。【解決手段】推進させようとするコンクリート函体８の左右両側方に土留め鋼矢板１７を配設し、土留め鋼矢板１７の内側に反力伝達鋼材１９を横架して反力伝達構造物２０を形成し、コンクリート函体８の後端への元押しジャッキ２２の支圧を受ける支圧体２１をこの反力伝達構造物２０の幅方向に架設したコンクリート函体の発進反力構造を使用し、元押しジャッキ２２によりコンクリート函体８を推進させる。【選択図】図１
2019206904.tif 000002
【特許請求の範囲】
【請求項１】
推進させようとするコンクリート函体の左右両側方に配設し土留め鋼矢板の内側に反力伝達鋼材を横架して反力伝達構造物を形成し、コンクリート函体後端への元押しジャッキの支圧を受ける支圧体をこの反力伝達構造物の幅方向に架設したことを特徴とするコンクリート函体の発進反力構造。
【請求項２】
オープンシールド機の推力を受けるためコンクリート函体を定置配置し、このコンクリート函体の左右両側方に土留め鋼矢板を配設し、土留め鋼矢板の内側に反力伝達鋼材を横架して反力伝達構造物を形成し、コンクリート函体後端の支圧を受ける支圧体をこの反力伝達構造物の幅方向に架設したことを特徴とするオープンシールド機の発進反力構造。
【請求項３】
推進させようとするコンクリート函体の左右両側方に土留め鋼矢板を配設し、土留め鋼矢板の内側に反力伝達鋼材を横架して反力伝達構造物を形成し、コンクリート函体後端への元押しジャッキの支圧を受ける支圧体をこの反力伝達構造物の幅方向に架設したコンクリート函体の発進反力構造を使用し、元押しジャッキによりコンクリート函体を推進させることを特徴としたコンクリート函体の発進反力方法。
【請求項４】
オープンシールド機の推力を受けるためコンクリート函体を定置配置し、このコンクリート函体の左右両側方に土留め鋼矢板を配設し、土留め鋼矢板の内側に反力伝達鋼材を横架して反力伝達構造物を形成し、コンクリート函体後端の支圧を受ける支圧体をこの反力伝達構造物の幅方向に架設した発進反力構造を形成し、この発進反力構造およびコンクリート函体を反力としてオープンシールド機を発進させることを特徴としたオープンシールド機の発進反力方法。
【発明の詳細な説明】
【技術分野】
【０００１】
本発明は、推進工法におけるコンクリート函体もしくはオープンシールド工法におけるオープンシールド機の発進反力構造および方法に関するものである。
【背景技術】
【０００２】
推進工法は、推進管（主に鉄筋コンクリート管）の先端に掘進機を取り付け、地中を掘削しつつ、後方の油圧ジャッキで推し進めて、管を埋設する工法で、地面を掘り起こして管を設置する「開削工法」に対して「非開削工法」と呼ばれている。
【０００３】
図２８に示すように、推進工法の機械構成は、立坑（発進立坑）Ａ、支圧壁Ｂ、推進台Ｃ、元押ジャッキＤ、押輪Ｅ、ストラットＦ、押角Ｇ、推進管Ｈ、掘進機Ｉ（又は刃口）からなっており、長距離推進の場合はさらに中押装置Ｊが設置される。
【０００４】
図中Ｋは発進口壁、Ｌは門型クレーン、Ｍは元押し、中押し用油圧ポンプ、Ｎは滑材圧送ポンプ、Ｏは滑材ミキサーである。
【０００５】
推進工法は、先端の掘進機Ｉ（又は刃口）で掘削を行い、元押ジャッキＤを伸長して推進管Ｈを推し進める。
【０００６】
推進工法に関しては、先行技術文献として多くの特許文献があるが、支圧壁Ｂに関しては特に特許文献はない。
【０００７】
また、下記特許文献は、開削工法とシールド工法の長所を生かした合理性に富むオープンシールド工法により施工する場合に、施工個所の上方に橋桁等の障害物が横切る場合でも、オープンシールド工法に用いたオープンシールド機はそのまま設置してこの障害物の影響を受けずに地下構造物を施工し、また、障害物通過後はオープンシールド工法にすぐ移行して施工を続行できるものとして提案されたものである。
【特許文献１】特開平７−２６９２８９号公報
【０００８】
この特許文献１は、オープンシールド工法と、オープンシールド機の前面を掘削・排土し、オープンシールド機ごとコンクリート函体を発進立坑に設置した推進ジャッキで押し出し、該推進ジャッキと押し出したコンクリート函体との間に新たなコンクリート函体を配設して押し出しを繰り返す推進工法とを組み合わせる。かかるオープンシールド工法と推進工法の組み合わせについてはその概要を図２３に示す。
【０００９】
先にオープンシールド工法について説明する。オープンシールド工法で使用するオープンシールド機１は、基本的には左右の側壁板とこれら側壁板と同程度の長さでその間を連結する底板とからなる前面、後面及び上面を開口したシールド機である。
【００１０】
該オープンシールド機１は機体を前後方向で複数に分割し、フロント部２としての前方の機体の後端にテール部３としての後方の機体の前端が嵌入して、相互の嵌合部で屈曲可能とした。
【００１１】
フロント部２は主として掘削を行うもので、前端と上面を開放面としてあり、機体内で後部に後方へ向けて中折ジャッキ４を左右によせて、また上下複数段に配設している。
【００１２】
これに対してテール部３はコンクリート函体８の設置を行うもので、機体内で前部に後方へ向けてシールドジャッキ５を左右によせて、また上下複数段に配設したジャッキ部と、その後方でスペースを確保した函体吊下し部を構成している。
【００１３】
図中６はフロント部２の前端に設けた可動分割刃口である。
【００１４】
このようなオープンシールド機１を使用するオープンシールド工法は、図２４〜図２７に示すように、発進立坑と到達坑との間で施工される。発進立坑１１内で前記オープンシールド機を組立て、発進立坑１１の前の地盤を地上に設置したシャベル系の掘削機１２で掘削し、該オープンシールド機１のシールドジャッキ５を伸長して発進立坑１１内の反力壁（図示せず）に反力をとってオープンシールド機１を前進させ、地下構造物を形成する第１番目のコンクリート函体８を上方から吊り降し、オープンシールド機１のテール部３内で縮めたシールドジャッキ５の後方にセットする。
【００１５】
次いで、同様に掘削機１２でフロント部２の前面又は上面から土砂を掘削し、かつ排土してオープンシールド機１を前進させ、前記第１番目のコンクリート函体８の前に第２番目のコンクリート函体８をテール部３内に吊り降す。
【００１６】
以下、同様の掘進及びコンクリート函体８のセット工程を繰返して、順次コンクリート函体８を縦列に地中に埋設し、後方のコンクリート函体８上にダンプ１４で埋戻しを施し、オープンシールド機１が到達立坑１３まで達したならばこれを分解・撤去して工事を完了する。図中１５はグラウト機である。
【００１７】
かかるオープンシールド工法で推進工法を取り入れる場合は、図発進立坑１１内にコンクリート製の厚い支圧壁７を形成し、ここに元押しジャッキ９を設置し、これでコンクリート函体８を推進させる。図中１０は受台鋼である。
【発明の概要】
【発明が解決しようとする課題】
【００１８】
前記推進工法は原則として発進用の立坑Ａを形成し、ここに鉄筋コンクリート製の支圧壁Ｂを設けて、この支圧壁Ｂで元押ジャッキＤの推進反力を受けて、推進管Ｈを推し進める。
【００１９】
前記図２３に示すオープンシールド工法との組み合わせの場合は、発進立坑１１内に支圧壁７等の元押し設備を構築する。
【００２０】
従って、立坑Ａや発進立坑１１はこのような支圧壁Ｂや支圧壁７を設けるだけの、堅牢さと、スペースが必要とするものとされる。
【００２１】
発進立坑背面反力部分に既設水路が存在する場合や、反力部分地山が軟弱地盤である場合、十分な強度を有する立坑Ａ、発進立坑１１を構築できないので、支圧壁Ｂや支圧壁７を介在させた立坑背面の受動土圧だけでは推進の反力の確保が困難となり、オープンシールド工法にて推進する為には大掛かりな補助工事が必要となる。
【００２２】
前記反力部分に既設水路が存在する場合では、既設水路を埋め戻すと降雨による増水時に発進立坑から、背面の既設水路に水路流水を通水することが出来ず、周辺宅地の浸水被害の原因となる。
【００２３】
前記軟弱地盤である場合、背面地山に地盤改良等を施す必要があり、経済的に高価となる。
【００２４】
前記特許文献１は、発進立坑は、少なくとも前面および上面開口の鋼製チャンバーをオープンシールド機のテール部内に設置して形成することにより、オープンシールド工法で設置したコンクリート函体はそのままにして、かつ、これを反力にして推進工法でコンクリート函体を推進できるとあるが、オープンシールド工法で設置したコンクリート函体を反力体として用いるのは、コンクリート函体を痛めるおそれがある。
【００２５】
ちなみに、コンクリート函体の大きさは多少大小があるが、高さが１〜２ｍ程度、幅が１〜３ｍ程度、長さが１〜３ｍ程度で、かなり大きなものである。従って、円形のコンクリートヒューム管とは大きさや用途が異なる。
【００２６】
このようなコンクリート函体ではシールド機を前進させるための推進ジャッキでの力が加えられた際には大丈夫でも、コンクリート函体の推進はかなりの力を受け、コンクリート函体の左側壁版、右側壁版は圧縮される状態となり、上床版や下床版に曲げモーメントがかかりその端面にクラックが入るおそれがある。
【００２７】
元押し設備を必要としないシールド工法においても、シールド機の初期推進の発進反力部分については前記推進工法と同様であり、反力部分に既設水路が存在する場合や、反力部分が軟弱地盤である場合、不都合が生じる。
【００２８】
本発明の目的は前記従来例の不都合を解消し、地山への摩擦力を利用して反力伝達構造物を形成できるので、大掛かりな発進立坑を設けることや、もしくは発進立坑を設けることなくコンクリート函体の推進、シールド機の発進が可能となるコンクリート函体、およびシールド機の発進反力構造および方法を提供することにある。
【課題を解決するための手段】
【００２９】
前記目的を達成するため請求項１記載の本発明は、コンクリート函体の発進反力構造として、推進させようとするコンクリート函体の左右両側方に配設し土留め鋼矢板の内側に反力伝達鋼材を横架して反力伝達構造物を形成し、コンクリート函体後端への元押しジャッキの支圧を受ける支圧体をこの反力伝達構造物の幅方向に架設したことを要旨とするものである。
【００３０】
請求項２記載の本発明は、オープンシールド機の発進反力構造として、オープンシールド機の推力を受けるためコンクリート函体を定置配置し、このコンクリート函体の左右両側方に土留め鋼矢板を配設し、土留め鋼矢板の内側に反力伝達鋼材を横架して反力伝達構造物を形成し、コンクリート函体後端の支圧を受ける支圧体をこの反力伝達構造物の幅方向に架設したことを要旨とするものである。
【００３１】
請求項３記載の本発明は、コンクリート函体の発進反力方法としては、推進させようとするコンクリート函体の左右両側方に土留め鋼矢板を配設し、土留め鋼矢板の内側に反力伝達鋼材を横架して反力伝達構造物を形成し、コンクリート函体後端への元押しジャッキの支圧を受ける支圧体をこの反力伝達構造物の幅方向に架設したコンクリート函体の発進反力構造を使用し、元押しジャッキによりコンクリート函体を推進させることを要旨とするものである。
【００３２】
請求項４記載の本発明は、シールド機の初期掘進の発進反力方法としては、推進させようとするシールド機の左右両側方に土留め鋼矢板を配設し、土留め鋼矢板の内側に反力伝達鋼材を横架して反力伝達構造物を形成し、シールド機後方のコンクリート函体後端の支圧を受ける支圧体をこの反力伝達構造物の幅方向に架設したシールド機の発進反力構造を使用し、シールド機を推進させることを要旨とするものである。
【００３３】
本発明によれば、元押しジャッキやコンクリート函体の支圧を受ける支圧体は、間接的に反力伝達構造物を介して土留め鋼矢板と一体の構造となり、土留め鋼矢板側部に発生する地山と鋼矢板との摩擦力を期待できる反力構造となるので、４方を囲むような立坑を形成しなくとも推進反力を確保することができる。
【００３４】
このように完璧な発進立坑を形成しなくもとよいので、背面に既設水路が存在する場合についても、既設水路を埋め戻すことなく施工可能である為、降雨時の増水、水路への通水を確保した施工が可能である。
【００３５】
また、発進箇所の背面の地山が軟弱地盤であり反力が期待出来ない場合においても、補助工法等を必要とせず、例えば、オープンシールド工法と推進工法を組み合わせる場合のオープンシールド工での推進が可能となり、十分な反力を期待でき、経済的である。
【００３６】
同様に発進箇所立坑背面直近に構造体があり、土留め、厚い支圧コンクリートの築造が困難である場合においても施工が可能である。
【００３７】
支圧コンクリートを築造することなく施工可能である為、スクラップ鋼材は発生するが、コンクリートからは発生しない。
【００３８】
従来のような発進立坑として形成する場合でも土留め鋼矢板側部に発生する地山と鋼矢板との摩擦力を期待できる反力構造となるので、立坑自体が大きな反力体となり、支圧構造の剛性が高い為、推進による反力部分の変位が少なく、推進精度が向上する。
【発明の効果】
【００３９】
以上述べたように本発明のコンクリート函体やシールド機の発進反力構造および方法は、地山への摩擦力を利用して反力伝達構造物を形成できるので、大掛かりな発進立坑を設けることや、もしくは発進立坑を設けることなくコンクリート函体の発進が可能となるものである。
【図面の簡単な説明】
【００４０】
【図１】本発明のコンクリート函体の発進反力構造および方法の第１実施形態を示す平面図である。
【図２】本発明のコンクリート函体の発進反力構造および方法の第１実施形態を示す中央縦断側面図である。
【図３】図１のＡ−Ａ線矢視図である。
【図４】図１のＢ−Ｂ線矢視図である
【図５】図１のＣ−Ｃ線矢視図である
【図６】ジャッキ架台部を示す説明図である。
【図７】本発明のコンクリート函体の発進反力構造および方法の第２実施形態を示す平面図である。
【図８】本発明のコンクリート函体の発進反力構造および方法の第２実施形態を示す中央縦断側面図である。
【図９】図７のＡ−Ａ線矢視図である。
【図１０】図７のＢ−Ｂ線矢視図である。
【図１１】本発明のシールド機の発進反力構造および方法の第１実施形態を示す平面図である。
【図１２】本発明のシールド機の発進反力構造および方法の第１実施形態を示す中央縦断側面図である。
【図１３】図１１のＡ−Ａ線矢視図である。
【図１４】図１１のＢ−Ｂ線矢視図である
【図１５】図１１のＣ−Ｃ線矢視図である
【図１６】本発明のシールド機の発進反力構造および方法の第２実施形態を示す平面図である。
【図１７】本発明のシールド機の発進反力構造および方法の第２実施形態を示す中央縦断側面図である。
【図１８】図１６のＡ−Ａ線矢視図である。
【図１９】図１６のＢ−Ｂ線矢視図である
【図２０】図１６のＣ−Ｃ線矢視図である
【図２１】支圧コンクリート壁を設けてなる支圧体の斜視図である。
【図２２】函体位置調整材を設けてなる支圧体の斜視図である。
【図２３】推進工法併用のオープンシールド工法の説明図である。
【図２４】オープンシールド工法の第１工程を示す側面図である。
【図２５】オープンシールド工法の第２工程を示す側面図である。
【図２６】オープンシールド工法の第３工程を示す側面図である。
【図２７】オープンシールド工法の第４工程を示す側面図である。
【図２８】推進工法の概要説明図である。
【発明を実施するための形態】
【００４１】
以下、図面について本発明の実施の形態を詳細に説明する。図１は本発明のコンクリート函体の発進反力構造および方法の第１実施形態を示す平面図、図２は同上側面図で、図中８はコンクリート函体を示す。
【００４２】
なお、この縦列されたコンクリート函体８は通常の推進工法で施工されたものでもよいが、前記のごとく、オープンシールド工法で施工したものでもよい。
【００４３】
また、図示の例は後方に既設水路１６が存在し、十分な発進立坑を形成できない場合である。
【００４４】
本発明は推進させようとするコンクリート函体８の左右両側方に多少間隔を存してシートパイルによる土留め鋼矢板１７を並行に配設する。この土留め鋼矢板１７は発進立坑１１を構成するものと同じものでよいが、発進立坑１１のように囲繞させる必要はない。
【００４５】
また、相対向する土留め鋼矢板１７の下方には、捨て石および捨てコンクリートを敷設し、その上に受台２５を設置して発進立坑的に形成してもよい。
【００４６】
前記土留め鋼矢板１７の内側にアングル材によるブラケット１８を溶接等で取付け、このブラケット１８で挟み込むようにしてＣチャンネル材のような形鋼による反力伝達鋼材１９を複数段に横架して反力伝達構造物２０を形成した。
【００４７】
反力伝達構造物２０の幅方向、すなわち相対向する土留め鋼矢板１７間に端部をボルト２４で反力伝達鋼材１９に固定したＨ形鋼による横方向部材２１ａとこの横方向部材２１ａに直交させる縦方向部材２１ｂとで格子に枠組んだ支圧体２１を架設する。
【００４８】
該支圧体２１はコンクリート函体８の後端への元押しジャッキ９の支圧を受けるもので、元押しジャッキ９を設置するジャッキ架台２３をこの支圧体２１の前に置く。
【００４９】
次に使用法について説明すると、コンクリート函体８を推進させるには元押しジャッキ９を伸長してこの元押しジャッキ９によりコンクリート函体８を押し出す。
【００５０】
図示は省略するが縦列するコンクリート函体８の先端にはオープンシールド機が設置され、オープンシールド工法によりコンクリート函体８は設置されていた。（地上に設置したショベルカーで、オープンシールド機の刃口部を掘削し、オープンシールド機の前進とコンクリート函体の吊下し・設置を繰り返す。）
【００５１】
橋梁等の構造物下を施工する場合、オープンシールド工法を取れないので、オープンシールド機の刃口部分はオープンシールド機内部から掘削し、このオープンシールド機ごとコンクリート函体８を元押しジャッキ９で推進させる。
【００５２】
元押しジャッキ９の推進反力は支圧体２１で受けるが、これが反力伝達鋼材１９を介して土留め鋼矢板１７に伝わり、土留め鋼矢板１７の側部に発生する地山と鋼矢板との摩擦力を利用することができる。
【００５３】
本発明の第２実施形態として、図７〜図１０に示すように、土留め鋼矢板１７はこれをもって発進立坑１１を形成するものであり、前記支圧体２１はＨ形鋼による横方向部材２１ａの背後に支圧コンクリート壁２１ｃを設けてなるものとした。その詳細を図２１に示す。
【００５４】
使用法は前記第１実施形態と同様である。
【００５５】
図１１〜図１５は本発明のシールド機の発進反力構造および方法の第1実施形態を示すもので、図中８はコンクリート函体を示すが、これはオープンシールド機１の推力を受けるために定置配置されるものである。
【００５６】
前記図２１以下でも説明したように、オープンシールド機１は、基本的には左右の側壁板とこれら側壁板と同程度の長さでその間を連結する底板とからなる前面、後面及び上面を開口したシールド機である。
【００５７】
該オープンシールド機１は機体を前後方向で複数に分割し、フロント部２としての前方の機体の後端にテール部３としての後方の機体の前端が嵌入して、相互の嵌合部で屈曲可能とした。
【００５８】
フロント部２は主として掘削を行うもので、前端と上面を開放面としてあり、機体内で後部に後方へ向けて中折ジャッキ４を左右によせて、また上下複数段に配設している。
【００５９】
これに対してテール部３はコンクリート函体８の設置を行うもので、機体内で前部に後方へ向けてシールドジャッキ５を左右によせて、また上下複数段に配設したジャッキ部と、その後方でスペースを確保した函体吊下し部を構成している。
【００６０】
図中６はフロント部２の前端に設けた可動分割刃口である。
【００６１】
オープンシールド機１を用いたオープンシールド工法で、既設水路１６に繋げる新たな水路を構築するような場合で、元押し設備を必要としない場合である。
【００６２】
このような場合においても、シールド機の初期推進の発進反力部分については前記推進工法と同様であり、反力部分に既設水路が存在する場合や、反力部分が軟弱地盤である場合、不都合が生じる。
【００６３】
コンクリート函体８の左右両側方に多少間隔を存してシートパイルによる土留め鋼矢板１７を並行に配設し、また、相対向する土留め鋼矢板１７の下方には、捨て石および捨てコンクリートを敷設し、その上に受台２５を設置する。
【００６４】
前記土留め鋼矢板１７の内側にアングル材によるブラケット１８を溶接等で取付け、このブラケット１８で挟み込むようにしてＣチャンネル材のような形鋼による反力伝達鋼材１９を複数段に横架して反力伝達構造物２０を形成した。
【００６５】
反力伝達構造物２０の幅方向、すなわち相対向する土留め鋼矢板１７間に端部をボルト２４で反力伝達鋼材１９に固定したＨ形鋼による横方向部材２１ａとこの横方向部材２１ａに直交させる縦方向部材２１ｂとで格子に枠組んだ支圧体２１を架設する。（図１４参照）
【００６６】
該支圧体２１はコンクリート函体８の後端に函体位置調整材２６としてキリンジャッキ等およびＨ鋼による支圧鋼２７を設置した。その詳細を図２２に示す。
【００６７】
このようにコンクリート函体８の左右両側方に土留め鋼矢板１７を配設し、土留め鋼矢板１７の内側に反力伝達鋼材１９を横架して反力伝達構造物２０を形成し、コンクリート函体８の後端の支圧を受ける支圧体２１をこの反力伝達構造物２０の幅方向に架設した。
【００６８】
オープンシールド機１の初期掘進の発進反力方法としては、シールド機後方のコンクリート函体８の後端の支圧を受ける支圧体２１をこの反力伝達構造物１９の幅方向に架設した発進反力構造を使用し、オープンシールド機１を推進させる。
【００６９】
図１６〜図２０は本発明のシールド機の発進反力構造および方法の第２実施形態を示すもので、前記第１実施形態は土留め壁の周面摩擦のみから反力を得る場合を示したが、この第２実施形態では背面地山２９の受動土圧の補助として土留め壁のび周面摩擦を期待する場合である。
【００７０】
背面地山２９に接してコンクリート函体８の後端の支圧を受ける支圧体２１をこの反力伝達構造物２０の幅方向に架設した。
【符号の説明】
【００７１】
１…オープンシールド機
２…フロント部                ３…テール部
４…中折ジャッキ              ５…シールドジャッキ
６…可動分割刃口              ７…支圧壁
８…コンクリート函体          ９…元押しジャッキ
１０…受台鋼                  １１…発進立坑
１２…掘削機                  １３…到達坑
１４…ダンプ                  １５…グラウト機
１６…既設水路                １７…土留め鋼矢板
１８…ブラケット              １９…反力伝達鋼材
２０…反力伝達構造物          ２１…支圧体
２１ａ…横方向部材            ２１ｂ…縦方向部材
２１ｃ…支圧コンクリート壁    ２３…ジャッキ架台
２４…ボルト                  ２５…受台
２６…函体位置調整材          ２７…支圧鋼
２８…押角                    ２９…背面地山
【図１】
2019206904.tif 000003
【図２】
2019206904.tif 000004
【図３】
2019206904.tif 000005
【図４】
2019206904.tif 000006
【図５】
2019206904.tif 000007
【図６】
2019206904.tif 000008
【図７】
2019206904.tif 000009
【図８】
2019206904.tif 000010
【図９】
2019206904.tif 000011
【図１０】
2019206904.tif 000012
【図１１】
2019206904.tif 000013
【図１２】
2019206904.tif 000014
【図１３】
2019206904.tif 000015
【図１４】
2019206904.tif 000016
【図１５】
2019206904.tif 000017
【図１６】
2019206904.tif 000018
【図１７】
2019206904.tif 000019
【図１８】
2019206904.tif 000020
【図１９】
2019206904.tif 000021
【図２０】
2019206904.tif 000022
【図２１】
2019206904.tif 000023
【図２２】
2019206904.tif 000024
【図２３】
2019206904.tif 000025
【図２４】
2019206904.tif 000026
【図２５】
2019206904.tif 000027
【図２６】
2019206904.tif 000028
【図２７】
2019206904.tif 000029
【図２８】
2019206904.tif 000030